(57)【要約】【課題】小型化及び低コスト化が可能で、かつ原稿及びシートを確実に給送することのできる画像読取記録装置を提供する。【解決手段】第１給送手段１５により原稿１２を給送する際には、第２給送手段１９を下ガイド部材２３と上ガイド部材１４との間に進入しない位置で停止させ、かつ上ガイド部材１４が原稿１２により押圧された際には、第２給送手段１９によって上ガイド部材１４を、第２給送手段１９が下ガイド部材２３と上ガイド部材１４との間に進入しない位置に位置決めするようにすることにより、第２給送手段１９に原稿１２が接触することがないようにする。【選択図】      図２
2004203512.tif 000002
【特許請求の範囲】
【請求項１】
原稿の画像を読み取る画像読取部と、シートに画像を記録する画像記録部とを備えた画像読取記録装置において、
前記原稿及びシートの一方を積載する第１積載部と、
前記第１積載部に積載された原稿及びシートの一方を給送する第１給送手段と、
前記第１積載部の下方に位置し、前記原稿及びシートの他方を積載する第２積載部と、
前記第１給送手段の給送方向下流に設けられ、かつ前記第２積載部に積載された原稿及びシートの他方を給送する一部周面が切り欠かれた第２給送手段と、
前記第１積載部から前記第２給送手段にまで延在し、前記第１給送手段により給送された原稿及びシートの一方をガイドする下ガイド部材と、
前記下ガイド部材の上方に設けられ、該下ガイド部材との間で前記第１給送手段により給送される原稿及びシートの一方を通過させ、かつ該原稿及びシートの一方により押圧されると上方に回動する上ガイド部材と、
を備え、
前記第１給送手段により前記原稿及びシートの一方を給送する際には、前記第２給送手段を、前記下ガイド部材と前記上ガイド部材との間に進入しない位置で停止させ、かつ前記上ガイド部材が前記原稿及びシートの一方によって押圧された際には前記第２給送手段により、前記上ガイド部材を該第２給送手段が前記下ガイド部材と前記上ガイド部材との間に進入しない位置に位置決めするようにしたことを特徴とする画像読取記録装置。
【請求項２】
前記第１給送手段により前記原稿及びシートの一方を給送する際には、前記第２給送手段を、該第２給送手段の周面の切り欠き部が、前記下ガイド部材に臨む位置で停止させるようにしたことを特徴とする請求項１記載の画像読取記録装置。
【請求項３】
前記上ガイド部材は、前記原稿及びシートの一方により押圧された際、前記第２給送手段の軸部により、該第２給送手段の切り欠き部よりも下方となるように位置決めされることを特徴とする請求項１又は２記載の画像読取記録装置。
【請求項４】
前記上ガイド部材は、上端部が前記第１給送手段に回動自在に保持されていることを特徴とする請求項１乃至３の何れか１項に記載の画像読取記録装置。
【請求項５】
前記第２給送手段の軸部は可撓性を有し、前記第２給送手段は自重により下方に撓むことを特徴とする請求項３又は４記載の画像読取記録装置。
【請求項６】
前記第２給送手段の切り欠き部の表面を低摩擦にしたことを特徴とする請求項１乃至５の何れか１項に記載の画像読取記録装置。
【請求項７】
前記第２給送手段の切り欠き部の表面に低摩擦部材を設けたことを特徴とする請求項６記載の画像読取記録装置。
【請求項８】
前記上ガイド部材と前記下ガイド部材との間を通過する前記原稿及びシートの一方を押さえる押さえ手段を備え、
前記押さえ手段の先端部を前記第２給送手段の回転半径内に延在させたことを特徴とする請求項１乃至７の何れか１項に記載の画像読取記録装置。
【請求項９】
前記押さえ手段を前記第２給送手段の上流で支持し、かつ前記第２給送手段が回転する際、該第２給送手段に当接すると、前記先端部が支持部側に移動するよう上方に撓むように構成したことを特徴とする請求項８記載の画像読取記録装置。
【請求項１０】
前記原稿を前記画像読取部に搬送する原稿搬送路と、前記シートを前記画像記録部に搬送するシート搬送路と、前記原稿搬送路と前記シート搬送路の一部をそれぞれ形成する共通の搬送路とを備え、前記共通の搬送路において原稿画像の読み取り及び前記シートへの画像記録を行うことを特徴とする請求項１乃至９の何れか１項に記載の画像読取記録装置。
【発明の詳細な説明】
【０００１】
【発明の属する技術分野】
本発明は、原稿の画像を読み取る画像読取部と、シートに画像を記録する画像記録部とを一体的に備えた画像読取記録装置に関し、原稿を画像読取部に搬送する原稿搬送路と、シートを画像記録部に搬送するシート搬送路の一部を共通の搬送路により形成するようにしたものに関する。
【０００２】
【従来の技術】
従来、原稿の画像を読取る画像読取部と記録媒体であるシートに画像を記録（形成）する画像記録部とを一体的に備えた画像読取記録装置があり、このような画像読取記録装置としては、例えばファクシミリ装置がある。
【０００３】
図１５は、このような従来のファクシミリ装置の一例であるインクジェット記録方式によりシートに画像を記録するようにしたファクシミリ装置の概略構成を示す図であり、このファクシミリ装置においては、シートである記録紙３０１に画像を記録する場合は、まず記録紙保持部材３０３に載置された記録紙３０１を記録紙給紙ローラ３０４と不図示の分離機構とにより１枚ずつ分離して送り出した後、給送ローラ３０５によって画像記録部３０６へ搬送する。
【０００４】
次に、この画像記録部３０６において不図示の画像記録手段であるインクカートリッジを走査方向に移動させながらインクを吐出することにより、記録紙上に画像が記録される。そして、このように画像が記録された後、記録紙３０１は、排紙ローラ３０７により矢印Ｂに示すように装置外へ排出される。
【０００５】
一方、原稿３０２の画像を読み取る場合は、まず原稿３０２を原稿保持部材３０８に、原稿分離ローラ３０９と分離片３１３からなるくさび形状に突き当てた形でセットする。次に、この状態で画像読取命令に基づき回転する原稿分離ローラ３０９より、くさび形状に留められた原稿３０２のうち、原稿分離ローラ３０９と接する原稿のみを摩擦により分離搬送する。
【０００６】
次に、このように分離搬送された原稿３０２を、原稿給送ローラ３１０と、排紙ローラ３１２及びその対向コロ３１２ａに挟持させながら画像読取部に設けられた読取手段であるコンタクトイメージセンサ３１１の上方を通過させることにより、画像情報が読み取る。そして、このようにコンタクトイメージセンサ３１１により画像情報を読み取った後、原稿３０２を矢印Ａに示すように装置外へ排出する。
【０００７】
【発明が解決しようとする課題】
ところで、このような構成のファクシミリ装置（画像読取記録装置）において、小型化という市場の要望に応えるよう、例えば記録紙搬送路と原稿搬送路の一部を共通とすると共に、記録紙搬送に用いている搬送機構を原稿搬送機構としても兼ねるようにすることが考えられる。そして、このように構成すれば、原稿搬送用に用いていた原稿給送ローラ３１０、排紙ローラ３１２及び駆動用モータ等を削除することができる。
【０００８】
しかし、このように構成した場合、記録紙搬送路と原稿搬送路とが近接するようになるため、原稿３０２を給送する際、記録紙給紙ローラ３０４に原稿３０２が当接し、原稿３０２を確実に給送することができないという問題点がある。また、原稿３０２を確実に給送することができるように構成した場合には、記録紙の搬送に影響を及ぼすおそれがある。
【０００９】
そこで本発明は、このような現状に鑑みてなされたものであり、小型化及び低コスト化が可能で、かつ原稿及び記録紙（シート）を確実に給送することのできる画像読取記録装置を提供することを目的とするものである。
【００１０】
【課題を解決するための手段】
本発明は、原稿の画像を読み取る画像読取部と、シートに画像を記録する画像記録部とを備えた画像読取記録装置において、前記原稿及びシートの一方を積載する第１積載部と、前記第１積載部に積載された原稿及びシートの一方を給送する第１給送手段と、前記第１積載部の下方に位置し、前記原稿及びシートの他方を積載する第２積載部と、前記第１給送手段の給送方向下流に設けられ、かつ前記第２積載部に積載された原稿及びシートの他方を給送する一部周面が切り欠かれた第２給送手段と、前記第１積載部から前記第２給送手段にまで延在し、前記第１給送手段により給送された原稿及びシートの一方をガイドする下ガイド部材と、前記下ガイド部材の上方に設けられ、該下ガイド部材との間で前記第１給送手段により給送される原稿及びシートの一方を通過させ、かつ該原稿及びシートの一方により押圧されると上方に回動する上ガイド部材と、を備え、前記第１給送手段により前記原稿及びシートの一方を給送する際には、前記第２給送手段を、前記下ガイド部材と前記上ガイド部材との間に進入しない位置で停止させ、かつ前記上ガイド部材が前記原稿及びシートの一方によって押圧された際には前記第２給送手段により、前記上ガイド部材を該第２給送手段が前記下ガイド部材と前記上ガイド部材との間に進入しない位置に位置決めするようにしたことを特徴とするものである。
【００１１】
また本発明は、前記第１給送手段により前記原稿及びシートの一方を給送する際には、前記第２給送手段を、該第２給送手段の周面の切り欠き部が、前記下ガイド部材に臨む位置で停止させるようにしたことを特徴とするものである。
【００１２】
また本発明は、前記上ガイド部材は、前記原稿及びシートの一方により押圧された際、前記第２給送手段の軸部により、該第２給送手段の切り欠き部よりも下方となるように位置決めされることを特徴とするものである。
【００１３】
また本発明は、前記上ガイド部材は、上端部が前記第１給送手段に回動自在に保持されていることを特徴とするものである。
【００１４】
また本発明は、前記第２給送手段の軸部は可撓性を有し、前記第２給送手段は自重により下方に撓むことを特徴とするものである。
【００１５】
また本発明は、前記第２給送手段の切り欠き部の表面を低摩擦にしたことを特徴とするものである。
【００１６】
また本発明は、前記第２給送手段の切り欠き部の表面に低摩擦部材を設けたことを特徴とするものである。
【００１７】
また本発明は、前記上ガイド部材と前記下ガイド部材との間を通過する前記原稿及びシートの一方を押さえる押さえ手段を備え、前記押さえ手段の先端部を前記第２給送手段の回転半径内に延在させたことを特徴とするものである。
【００１８】
また本発明は、前記押さえ手段を前記第２給送手段の上流で支持し、かつ前記第２給送手段が回転する際、該第２給送手段に当接すると、前記先端部が支持部側に移動するよう上方に撓むように構成したことを特徴とするものである。
【００１９】
また本発明は、前記原稿を前記画像読取部に搬送する原稿搬送路と、前記シートを前記画像記録部に搬送するシート搬送路と、前記原稿搬送路と前記シート搬送路の一部をそれぞれ形成する共通の搬送路とを備え、前記共通の搬送路において原稿画像の読み取り及び前記シートへの画像記録を行うことを特徴とするものである。
【００２０】
【発明の実施の形態】
以下、本発明の実施の形態について図面を用いて詳細に説明する。
【００２１】
ただし、この実施の形態に記載されている構成部品の寸法、材質、形状それらの相対配置などは、特に特定的な記載がない限りは、この発明の範囲をそれらのみに限定する趣旨のものではない。
【００２２】
図１は、本発明の実施の形態に係る画像読取記録装置の一例であるファクシミリ装置の構成を示す断面図である。
【００２３】
同図において、１００はファクシミリ装置であり、このファクシミリ装置１００は、シートである記録紙２に画像を記録する画像記録部１Ａを備えた画像記録装置部１０１と、原稿１２の画像を読み取る画像読取部２８を備えた画像読取装置部１０２と、記録紙２が通過する記録紙搬送路Ｒ１と、原稿１２が通過する原稿搬送路Ｒ２と、記録紙搬送路Ｒ１と原稿搬送路Ｒ２の搬送方向下流側に設けられた共通の搬送路４９とを備えている。なお、この共通の搬送路（以下、共通搬送路という）４９には原稿１２及び記録紙２を搬送する共通の給送手段である搬送ローラ１０及び共通の排紙手段である排紙ローラ１７が配されている。
【００２４】
次に、画像記録装置部１０１の構成について説明する。
【００２５】
画像記録装置部１０１は、後述する画像記録部１Ａの他、記録紙２を複数枚積載収納可能な第２積載部である記録紙トレイ８と、図２に示すように矢印Ａ方向に回転する記録紙分離ローラ１９、記録紙分離ローラ１９とベース部材３５との間に位置し、かつベース部材３５に回動自在に軸支された圧板９、分離爪３１等を有する記録紙給紙部６０とを備えている。
【００２６】
ここで、第２給送手段である記録紙分離ローラ１９は軸部１９ｃと、軸部１９ｃより大径に形成された２箇所のローラ部１９ａからなるプラスチック等の一体成形品であり、ローラ部１９ａの回りに記録紙２の搬送を行うための摩擦弾性体からなる記録紙給紙ローラゴムが設けられている。また、軸部１９ｃの両端部は、図３に示すようにベース部材３５に回転可能に軸支され、その一端は駆動伝達手段６０ａを経て図示しない駆動モータに連結されている。
【００２７】
なお、この記録紙分離ローラ１９のローラ部１９ａを構成するＤ字状の断面を有する摩擦弾性体は、図４に示すように記録紙分離ローラ１９の一部周面を切り欠いて形成された切り欠き部１９ｂを有しており、この切り欠き部１９ｂの表面が低摩擦となるよう表面には、図４及び図５に示すように少なくともローラ部１９ａを構成する摩擦弾性体よりも低摩擦係数を有する薄い金属板あるいはプラスチック材から形成されるローラガイド６３が設けられている。
【００２８】
なお、切り欠き部１９ｂの表面が低摩擦となるようにする他の構成としては、記録紙分離ローラ１９が軸部１９ｃのプラスチック材と、ローラ部１９ａの摩擦弾性体とをエラストマで一体成形することでローラ部１９ａの切り欠き部表面をプラスチックで形成し、これによりローラガイド６３を設けなくても低摩擦係数を有するようにすることもできる。
【００２９】
圧板９は、図２に示すように両端上部の圧板軸９ａを介して回動自在にベース部材３５に保持されており、記録紙分離ローラ１９に一体に形成された図３に示すリリースカム６４により、記録紙分離ローラ１９の回転に伴って図１に示す記録紙２を記録紙分離ローラ１９から離間させる第２位置であるイニシャル位置と、図４に示す記録紙分離ローラ１９のローラ部１９ａに記録紙２を当接させ、記録紙分離ローラ１９による記録紙２の給送が可能となる第１位置である給送位置に移動するようになっている。
【００３０】
ここで、このリリースカム６４は、記録紙分離ローラ１９の切り欠き部１９ｂが圧板９に対向する間のみ、図３に示すベース部材３５の右側板３５ａに形成された不図示の穴より突出した圧板９の右押し下げ部６５を押し下げるような形状になっており、記録紙分離ローラ１９の切り欠き部１９ｂ以外が圧板９と対向する時は、ローラ部１９ａが必ず記録紙２と（あるいは圧板９に記録紙２が無い場合には圧板９と）、圧板ばね３４の圧力で接するように構成されている。
【００３１】
なお、記録紙分離ローラ１９とリリースカム６４とは１回転ごとに位相が合うように構成されており、これにより駆動伝達手段６０ａからの駆動により記録紙分離ローラ１９が１回転すると、これに伴ってリリースカム６４は、圧板９をイニシャル位置から給送位置に上昇させ、この後、給送位置からイニシャル位置に下降させる位置に順次移動する。
【００３２】
また、記録紙分離ローラ１９の軸部１９ｃのベース部材３５の左側板３５ｂ側には補助カム６６がリリースカム６４と位相が合うように設けられており、リリースカム６４により圧板９を押し下げた際、この補助カム６６が、ベース部材３５の左側板３５ｂ近くにある圧板９の左押し下げ部６７を押し下げるようになっている。
【００３３】
そして、このように２つのカム６４，６６により、圧板９を押し下げることにより、記録紙分離ローラ１９の図４の矢印Ｄに示す方向の回転に伴い、圧板９はベース部材３５に対して傾かず、ほぼ平行に記録紙分離ローラ１９の２個のローラ部１９ａに近接（接触）及び離間するようになる。これにより、記録紙２を確実に送り出すことができる。
【００３４】
なお、この圧板９の記録分離ローラ１９に臨む位置には、人工皮等の摩擦係数の比較的大きいものからなる記録紙分離パット６２が設けられており、このような記録紙分離パット６２を設けることにより、記録紙２の枚数が少なくなったときでも記録紙２の重送を防ぐことができる。
【００３５】
また、圧板９には、圧板９上を左右方向（記録紙２の搬送方向と直交する幅方向）にスライド可能なサイドガイド６１が取付けられており、記録紙２のサイズに応じてサイドガイド６１をスライドさせることにより、サイズの異なる記録紙２を片側基準の基準面、本実施の形態においては、ベース部材３５の右側部３５ａ（図３参照）にセットすることができるようになっている。
【００３６】
分離爪３１は、図２に示す記録紙トレイ８に積載された記録紙２をせき止めるものである。なお、記録紙分離ローラ１９が回転すると、記録紙分離ローラ１９に接触した最上位の記録紙２ａは、記録紙分離ローラ１９との摩擦により分離爪３１を乗り越えて搬送されるようになっている。
【００３７】
ところで、本実施の形態において、記録紙分離ローラ１９は、待機状態のときには図２に示すようにローラ部１９ａの切り欠き部１９ｂが記録紙２と略平行に対向するように停止し、このような状態で停止することにより、記録紙２に触れないだけでなく、後述する原稿１２を共通搬送路４９にガイドする原稿下ガイド部材２３との間に原稿１２を通過させるための隙間Ｇを形成することができるようになっている。
【００３８】
なお、記録紙２を搬送する場合、記録紙分離ローラ１９は、回転してローラ部１９ａの一部周面が原稿下ガイド部材２３に形成された図６に示す切り欠き５３を超えて図４に示すように原稿下ガイド部材２３の下方に突出し、圧板９に載置された記録紙束の最上位の記録紙２ａに当接するようになっている。
【００３９】
さらに、記録紙分離ローラ１９は１回転した後、再び図２に示す切り欠き部１９ｂが記録紙２と対向し、かつリリースカム６４によって圧板９を押し下げた待機状態に戻る。これにより、搬送ローラ１０が最上位の記録紙２ａを搬送中に、２枚目以降の記録紙２が記録紙分離ローラ１９と接することはなく、安定した記録紙２の搬送を行うことが可能となる。
【００４０】
なお、記録紙分離ローラ１９の下流には図１に示すように記録紙２（或は原稿１２）の搬送を検知するためのＰＥＳ（Ｐａｐｅｒ・Ｅｄｇｅ・Ｓｅｎｓｏｒ）レバー２１が設けられており、給紙動作を開始してもＰＥＳレバー２１を介してＰＥＳ２１Ｓが記録紙２（或は原稿１２）の通過を検知しなければ再給紙動作を行い、それでもＰＥＳ２１が記録紙２（或は原稿１２）の通過を検知しない場合には搬送動作はエラーストップし、図示しない操作パネル等にエラーが表示されるようになっている。
【００４１】
一方、記録紙分離ローラ１９により送り出された記録紙２が通過する記録搬送路Ｒ１の搬送方向下流側に設けられた共通搬送路４９は、図７に示すように記録紙２を搬送するための支持面として機能するプラテン３と、プラテン３の下流に設けられ、プラテン３に続いて記録紙２の下側の支持面として機能する補助プラテン部材３ａを備えている。
【００４２】
ここで、プラテン３の記録紙支持面には、図８に示すように記録紙幅方向に複数のリブ３８が形成されており、記録紙搬送の際には、これら複数のリブ３８の上面を記録紙２が通過するようになっている。
【００４３】
また、支持部材であるプラテン３と共に記録紙２を支持する支持部を構成する補助プラテン部材３ａはプラテン３の記録紙支持面に形成された凹部に配置され、両側面の記録紙搬送方向上流側に形成された図９に示す軸３ａ１を介してプラテン３に上下方向に回動自在に保持されると共に、通常は例えばバネ５８により弾性的に付勢され、上面の記録紙支持面がプラテン３の上面にて構成される記録紙支持面と同一平面になる位置に保持されている。
【００４４】
なお、この補助プラテン部材３ａは、後述するようにＣＳホルダ２６によってバネ５８の付勢力を超えて上方より押された場合は、プラテン３の記録紙支持面に対して５ミリ程度沈み込む方向に回動するようになっている。
【００４５】
さらに、この共通搬送路４９は、図１、図８及び図９に示すように、プラテン３に軸支された搬送ローラ１０の他、搬送ローラ１０に当接している記録紙幅方向に併設された４つのピンチローラ１６と、上ガイド４２と、排紙部４７とを備えている。なお、搬送ローラ１０は、ピンチローラばね４１によってピンチローラガイド３６を介して付勢されたピンチローラ１６により記録紙２あるいは原稿１２を搬送する搬送力を生み出している。
【００４６】
ここで、搬送ローラ１０とピンチローラ１６による記録紙２の搬送方向は、ローラ上流側から下流側に向けて斜め下方向となるように設定されており、また排紙ローラ１７と拍車１８による記録紙２の搬送方向はローラ上流側から下流側に向けて斜め上方向となるように設定されている。これにより共通搬送路４９において、記録紙２はプラテン３及び補助プラテン部材３ａの上面に当接しながらＰ方向へ搬送されるようになる。
【００４７】
なお、搬送ローラ１０とピンチローラ１６で発生する記録紙搬送力Ｆは、図２に示す原稿下ガイド部材２３の裏面と記録紙２との摩擦抵抗力を無視できるほどの大きさであるが、記録紙送り精度に影響が出る場合は、原稿下ガイド部材２３の裏面に高分子シート等の低摩擦部材を貼付してもよい。
【００４８】
また、排紙部４７は、プラスチックとエラストマーを一体で成型した排紙ローラ１７と、排紙ローラ１７に搬送ローラ１０の駆動を伝える伝達ローラ４８（図１参照）と、排出を補助するための複数の拍車１８が設けられている。ここで、拍車１８は不図示の拍車ばねにより排紙ローラ１７に押し付けられており、この排紙ローラ１７及び拍車１８により記録紙２あるいは原稿１２は装置の外に排出される。
【００４９】
なお、拍車１８の数及び排紙ローラ１７への付勢力（拍車圧）は記録画像の未定着インクを拍車１８によって汚さないように適正な数、拍車圧が規定されており、本実施の形態では、記録紙２の幅方向に拍車１８を１３個配置してある。
【００５０】
これらの駆動は１つの駆動モータで駆動され、そのため読取用駆動モータや原稿搬送用機構を別途設ける必要がなく、コストダウンが実現されるとともに装置全体の小型化という効果が得られる。
【００５１】
また、図１及び図８において、１は画像記録手段であるインクカートリッジであり、搬送ローラ１０もしくは排紙ローラ１７で搬送された被記録材にインク像を記録する画像記録部１Ａは、このインクカートリッジ１からインクを吐出して記録するインクジェット記録方式のものである。なお、このインクカートリッジ１は微細な液体吐出口（オリフィス）、液路及びこの液路の一部に設けられるエネルギー作用部と、作用部にある液体に作用させる液滴形成エネルギーを発生するエネルギー発生手段とを備えたものである。
【００５２】
４はインクカートリッジ１を搭載して記録紙２の搬送方向と直交する幅方向に走査するキャリッジであり、このキャリッジ４には、不図示の駆動プーリと従動プーリ４ｂに掛け渡された無端ベルト状のタイミングベルト４ａが連結しており、駆動プーリを回転駆動させることで、キャリッジ４をシャーシ２４の上部に設けられたガイドレール７に沿って往復移動させることができるようになっている。そして、このようにキャリッジ４が往復移動する際、インクカートリッジ１から画像情報に応じてインクを吐出することにより記録紙２に画像が記録される。
【００５３】
ところで、このキャリッジ４は通常、図８及び図１０に示すガイドレール７の一端（右端）の待機位置で待機しており、このような待機位置にキャリッジ４があるとき、また、後述する原稿画像読取動作時においても、キャリッジ４は待機位置で留まっている。
【００５４】
さらに、インクカートリッジ１のインクが無くなった場合にも、同図に示す位置でインクカートリッジ１を、図８の矢印Ｅ方向に取り外すことで交換を行うようにしている。なお、このような待機位置でインクカートリッジ１を交換するようにすることにより、後述する読取部２８が邪魔になることなくインクカートリッジ１を交換することができる。
【００５５】
次に、このように構成された画像記録装置部１０１の画像記録動作について説明する。
【００５６】
記録紙２が記録紙トレイ８にセットされた状態で、不図示の外部機器から画像信号が入力されると、まず搬送ローラ１０が駆動され、その駆動が記録紙分離ローラ１９及びリリースカム６４に伝達されると、図１に示すように記録紙分離ローラ１９及びリリースカム６４が回転する。
【００５７】
これにより、圧板９が図４に示す位置まで上昇して記録紙分離ローラ１９と記録紙２が接し、この結果、記録紙分離ローラ１９の矢印Ｄ方向の回転に伴い記録紙２がピックアップされ、共通搬送路４９に向けて搬送される。
【００５８】
なお、このとき記録紙分離ローラ１９により搬送された記録紙２は分離爪３１でせき止められるが、記録紙分離ローラ１９のローラ部１９ａとの摩擦によりセットされた最上位の記録紙２ａだけが分離爪３１を乗り越えて共通搬送路４９に向けて搬送される。また、記録紙分離ローラ１９とリリースカム６４は記録紙２を共通搬送路４９に送り込むまでに１回転し、再び圧板９を記録分離ローラ１９に対してリリースした状態で搬送ローラ１０からの駆動が切られ、このイニシャル状態を保持する。
【００５９】
次に、共通搬送路４９に向けて搬送された記録紙２は、プラテン３とピンチローラガイド３６、上ガイド４２にガイドされ、ＰＥセンサレバー２１を押し下げながら搬送ローラ１０とピンチローラ１６のニップに搬送される。ここで、このようにＰＥセンサレバー２１を押し下げると、ＰＥセンサ２１Ｓから検知信号が不図示の制御手段に入力され、制御手段は、この検知信号に基づいて記録紙２の先端を検知し、記録紙２上での印字位置を求めるようにしている。
【００６０】
次に、搬送ローラ１０及びピンチローラ１６に搬送された記録紙２は、搬送ローラ１０と４つのピンチローラ１６とにより挟持され、プラテン３と補助プラテン部材３ａとにより構成される支持部の上面である記録紙支持面を通過する。
【００６１】
そして、このように記録紙支持面を通過する際、画像記録部１Ａにおいて、記録紙２ａの幅方向に走査（往復移動）するキャリッジ４に搭載されたインクカートリッジ１から、画像情報に応じてインクが吐出されることにより記録紙上に画像が記録される。この後、画像が記録された後、記録紙２ａは、排紙ローラ１７により矢印Ｐに示すように装置外へ排出される。
【００６２】
なお、本実施の形態において、記録紙２の印字動作は、既述したように図３におけるベース部材３５の一側部（右側部）３５ａを記録基準としている。また、この記録紙分離ローラ１９の２つのローラ部１９ａを、例えば一側部３５ａから約４０ｍｍ及び約１８０ｍｍ離れた位置に配置している。そして、このように２つのローラ部１９ａを配置することにより、ハガキからＡ４まで幅広いサイズの記録紙２に対応することが可能となっている。
【００６３】
次に、画像読取装置部１０２について説明する。
【００６４】
画像読取装置部１０２は、後述する画像読取部２８の他、図１に示すように原稿１２を複数枚収納可能な第１積載部である原稿トレイ１１と、原稿トレイ１１にセットされた原稿１２を画像読取部２８に搬送する原稿給紙部５０とを備えており、この原稿給紙部５０は、記録紙給紙部６０よりも原稿搬送上流に配置されると共に、第１給送手段である原稿分離ローラ１５、原稿給送ローラ５１、原稿給送コロ５２、原稿上ガイド１４等を有している。
【００６５】
なお、この原稿給紙部５０は、原稿１２の片側を基準としたものであり、本実施の形態においては、図１１に示すように原稿トレイ１１の左側板１１ａの内壁が原稿基準となっている。また、原稿トレイ１１には、斜行を防止するための原稿スライダ３０が形設されており、原稿１２の幅に合わせて移動可能となっている。
【００６６】
ここで、原稿分離ローラ１５は矢印方向に回転することで原稿トレイ１１にセットされた原稿１２を搬送するものであり、ベース部材３５の両側部３５ａ，３５ｂに回転自在に軸支されている。また、この原稿分離ローラ１５の軸１５ａ（図５参照）の一端は不図示の読取駆動伝達手段及び駆動切替手段を介して駆動モータに連結されている。
【００６７】
なお、この駆動切替手段は、不図示の制御手段により切り替えられて、画像記録動作の場合には、駆動モータの駆動を記録駆動伝達手段に伝達して記録紙分離ローラ１９を駆動し、画像読取動作の場合には駆動モータの駆動を、読取駆動伝達手段を介して原稿分離ローラ１５、原稿給送ローラ５１及び画像読取部２８に伝達するようになっている。
【００６８】
なお、図２において、１３は分離ばね５４により原稿分離ローラ１５に圧接している原稿分離片であり、この原稿分離片１３はゴムなどの摩擦係数の高い材料で形成されると共に、原稿分離ローラ１５により送り出された原稿１２を共通搬送路４９に向わせるための原稿下ガイド部材２３に回動可能に軸支される分離片支持部材３７に保持されている。また、２７は不図示の原稿分離ローラ１５へ原稿１２を押し付けることにより原稿分離の補助的動作を行う原稿搬送補助部材である。
【００６９】
そして、原稿トレイ１１に原稿１２がセットされると、原稿１２は先端が分離片１３と原稿分離ローラ１５により構成されるくさび形状で留まるようになり、この後、原稿分離ローラ１５が矢印Ｃ方向に回転すると、くさび形状に留められた原稿１２のうち、最も上部の原稿１２ａのみが原稿分離ローラ１５との摩擦により搬送される。なお、原稿トレイ１１には図１１に示すように原稿１２の斜行を防止するための原稿スライダ３０が原稿の幅に合わせて移動可能に設けられている。
【００７０】
原稿給送ローラ５１は金属で形成された軸部材に円筒状の摩擦弾性部材を取付けられて構成され、ベース部材３５の側板３５ａ，３５ｂに回転自在に軸支されており、軸の一端は読取駆動伝達手段に連結されている。また、原稿給送コロ５２は不図示の原稿給送コロばねによって原稿給送ローラ５１に付勢されており、原稿の搬送力を生み出している。
【００７１】
原稿上ガイド１４は、下ガイド部材である原稿下ガイド部材２３の上方に配されて原稿搬送路Ｒ２の上面を構成するものであり、この上ガイド部材である原稿上ガイド１４は、短冊状に成形され、その上端は図２に示すように、原稿分離ローラ１５の軸部１５ａに回動自在に軸支されており、かつ原稿下ガイド２３の上に自重で垂れ下がって原稿搬送路Ｒ２の上面を構成している。
【００７２】
ここで、この原稿上ガイド１４は摺動性の良い樹脂等で形成されると共に自重が軽く、分離ローラ１５の軸部１５ａを中心に軽い力で回動可能となっており、このため原稿１２が原稿給送ローラ５１もしくは搬送ローラ１０により原稿上ガイド１４と原稿下ガイド部材２３との間を搬送されている時は、原稿１２のこしと先端あるいは後端のバタツキにより、原稿分離ローラ１５を回転中心として上方向に押し上げられるようになっている。そして、このように原稿上ガイド１４が押し上げられることにより、原稿搬送路Ｒ２が確保される。
【００７３】
なお、原稿給送ローラ５１と搬送ローラ１０の送り速度は同じに設定されているが、各々のローラ直径の寸法公差等により搬送ローラ１０の方が速い場合には、原稿１２が原稿給送ローラ１５と搬送ローラ１０とに挟まれて搬送されている時、原稿１２にはテンションがかかる。そして、このようなテンションは原稿上ガイド１４を上方向に押す力となり、これにより原稿上ガイド１４が押し上げられる。
【００７４】
ここで、このように原稿上ガイド１４が搬送中の原稿１２に加わったテンションよって押し上げられた時、原稿上ガイド１４は、上方に撓み（変形し）図２に示すように下部上面が記録紙分離ローラ１９の軸部１９ｃに当接するが、このように原稿上ガイド１４が記録紙分離ローラ１９の軸部１９ｃに当接した状態であっても、記録紙分離ローラ１９の切り欠き部１９ｂよりも、原稿上ガイド１４のガイド面の方が原稿搬送路Ｒ２側に位置するように構成されている。
【００７５】
つまり、原稿１２が搬送される際、原稿１２により押し上げられても、原稿上ガイド１４は、記録紙分離ローラ１９（の軸部１９ｃ）により、記録紙分離ローラ１９が原稿１２に当接することのない位置に位置決めされるようになる。これにより、原稿１２を搬送する際、記録紙分離ローラ１９が原稿１２に当接することはなく、原稿１２の搬送を妨げることはない。
【００７６】
また、記録紙分離ローラ１９は既述したように、その軸部１９ｃがプラスチック等の可撓性材料で形成されていることから記録紙分離ローラ１９が自重によって下方に撓む場合があるが、このような場合でも原稿上ガイド１４が撓んだ状態の記録紙分離ローラ１９の軸部１９ｃに当接するので記録紙分離ローラ１９と原稿上ガイド１４との相対的位置関係は維持され、原稿搬送路Ｒ２に記録紙分離ローラ１９の切り欠き部１９ｂが突出することはない。これにより、原稿１２は記録紙分離ローラ１９に接触することなく、確実に、かつ安定して給送される。
【００７７】
さらには、既述したように記録紙分離ローラ１９の切り欠き部１９ｂには低摩擦材からなるローラガイド６３が取付けられているので、原稿１２が記録紙分離ローラ１９のローラ部１９ａに接触した場合でも、搬送不良となるのを防止できる。
【００７８】
ところで、本実施の形態では、図１１に示すように、原稿分離ローラ１５の摩擦弾性部材の左右に各２個、合計４個の原稿上ガイド１４（１４ａ，１４ｂ，１４ｃ，１４ｄ）が設けられており、また、左右各１個の原稿上ガイド１４ｂ，１４ｃは記録紙分離ローラ１９のローラ部１９ａと同じ位置に配置している。
【００７９】
ここで、既に述べたように、記録紙分離ローラ１９の２つのローラ部１９ａは記録紙基準（３５ａの内壁）から各々約４０ｍｍ、約１８０ｍｍの位置に設けられており、また、原稿基準は原稿トレイ１１の左側板１１ａの内壁である。
【００８０】
従って、記録紙２と原稿１２の搬送方向と直交する幅方向の位置は、本実施の形態においては、約４０ｍｍ異なるようになっている。そして、例えば、Ａ４サイズの記録紙２及び原稿１２を搬送する際、原稿１２は記録紙２よりも装置に向かって左に４１．５ｍｍずれた位置を搬送されて行くようになっている。
【００８１】
また、図５で示すように、原稿上ガイド１４の中程から下部にかけて幅方向で中央が切り欠けている形状になっているため、記録紙分離ローラ１９が回転した時にローラ部１９ａと原稿上ガイド１４が干渉することはない。さらに、既述した図６に示すように、記録紙分離ローラ１９にまで延在し、原稿１２が共通搬送路４９へ送られるまでの原稿搬送路Ｒ２の下面を形成する原稿下ガイド部材２３の、記録紙分離ローラ１９のローラ部１９ａが配置されている箇所には切り欠き部５３が設けられている。
【００８２】
従って、図４に示すように、記録紙分離ローラ１９が回転し、記録紙２を給紙する時には記録紙分離ローラ１９のローラ部１９ａが原稿上ガイド１４及び原稿下ガイド部材２３の切り欠き部５３を超えて回転するので、これらに干渉することなく確実に記録紙２を給送することができる。
【００８３】
また、図５に示すように、記録紙分離ローラ１９のローラ部１９ａの位置に配置されている２つの原稿上ガイド１４の切り欠き部には、原稿上ガイド１４と原稿下ガイド部材２３との間を通過する原稿１２を押さえる押さえ手段である可撓性を有する原稿押さえ部材５５が取付けられている。そして、この原稿押さえ部材５５の下端部５５ａは図１２において一点鎖線で示す、記録紙分離ローラ１９のローラ部１９ａの回転半径と、切り欠き部１９ｂとで形成される三日月状の領域の、上部領域１９ｄ内に延在している。
【００８４】
ここで、このような領域１９ｄに原稿押さえ部材５５の下端部５５ａを延在させることにより原稿搬送路Ｒ２が確保されると共に、原稿押さえ部材５５によって記録紙分離ローラ１９の切り欠き部１９ｂの角部１９ｅ及び切り欠き部１９ｂに取付けられたローラガイド６３の上部を覆うことができ、これにより原稿１２が搬送される時に原稿１２の先端がローラ部１９ａの角部１９ｅあるいはローラガイド６３の端部に引っ掛かり、搬送不良になるのを防ぐことができる。
【００８５】
なお、図１３に示すように、記録紙分離ローラ１９が矢印Ｄ方向に回転する場合、ローラ部１９ａが原稿押さえ部材５５と干渉（当接）するが、このような場合、原稿押さえ部材５５が撓むので記録紙分離ローラ１９の回転を妨げることはない。
【００８６】
また、原稿押さえ部材５５の上部部分には、図５に示すように２つの細い腕部５５ｂが形成されており、この腕部５５ｂにより原稿押さえ部材５５は原稿上ガイド１４に取付けられている。
【００８７】
ここで、このように原稿押さえ部材５５を上部部分に設けた腕部５５ｂにより原稿上ガイド１４に取付けるようにすると、即ち記録紙分離ローラ１９の上流で支持するようにすると、記録紙２が記録紙分離ローラ１９のローラ部１９ａと接触している状態において原稿押さえ部材５５が記録紙分離ローラ１９と干渉した場合、図１３に示すように原稿押さえ部材５５が撓むポイント５５ｃは原稿押さえ部材５５の上部となる。
【００８８】
そして、このように原稿押さえ部材５５が上部で撓んだ場合、撓んだ原稿押さえ部材５５の下端部５５ａは、記録紙２に極端に近づくこともなく、また記録紙分離ローラ１９のローラ部１９ａと記録紙２とのニップ位置より上流側に移動するようになるため、記録紙２と接触することがない。これにより、記録紙２は撓んだ原稿押さえ部材５５により妨げられることなく搬送される。
【００８９】
画像読取部２８は、図１及び図９に示すように搬送ローラ１０と排紙ローラ１７との間で、かつキャリッジ４の移動経路内においてプラテン３に対向するように配置され、搬送される原稿１２の上面を読取るようになっており、このように画像読取部２８をキャリッジ４の移動経路内に設けることによりファクシミリ装置１００の小型化を図ることができる。
【００９０】
ここで、この読取部２８は、画像読取手段であるコンタクトイメージセンサ２２と、コンタクトイメージセンサ（以下、ＣＳという）２２を保持する保持部材であるＣＳホルダ２６と、ＣＳホルダ２６にＣＳ２２に対向した状態で保持される白基準部材２５とを備えている。
【００９１】
なお、ＣＳ２２はＣＳホルダ２６に成形された凹部にセンサ面が外側になるように収容され、不図示のネジ（締結部材）にて固定されている。また、白基準部材２５は白色のシートを金属板に取付けて形成されたものであり、この金属板は白色シートを取付ける平面と、長手方向両端部に形成された折曲部とを備えている。
【００９２】
そして、この両折曲部には穴が形成されており、この穴にＣＳホルダ２６に形成された軸を係合することで、白基準部材２５をＣＳホルダ２６及びＣＳ２２に対して回動可能に支持している。なお、この白基準部材２５は、不図示のねじりコイルバネによりＣＳ側に付勢されている。
【００９３】
また、この白基準部材２５は原稿幅方向の外側に、ＣＳ２２に対して付勢された状態でＣＳ２２に当接する不図示の突起を有しており、この突起によりＣＳ２２のセンサ面と白基準部材２５の白色シートの間に、図９に示す少なくとも１枚の原稿が通過できる隙間Ｇ１（読取搬送路）を形成するようにしている。
【００９４】
ところで、このＣＳ２２と共に読取搬送路を形成する白基準部材２５は、ねじりコイルバネによって付勢されて１枚の原稿が通過できる隙間Ｇ１を形成する通常ポジションと、ねじりコイルバネに抗して白基準部材２５をＣＳ２２から離間させる方向に回動させた清掃ポジションを取ることが可能となっている。
【００９５】
そして、画像記録部１Ａのインクによって白基準部材２５の白色シートあるいはＣＳ２２の読取面が汚れた場合には、この白基準部材２５を清掃ポジションに移動させることにより、ユーザは汚れた部分を簡単に清掃することができる。
【００９６】
なお、ＣＳホルダ２６の長手方向の一方の側壁面にはボス２６ａが、またＣＳホルダ２６の他方の側壁面にはボス６８ｂがそれぞれ形成されており、この一方の側壁面のボス２６ａには図１４に示すようにプラテン３に取付けられたＣＳホルダ支持部材６８に成形された中空のボス６８ａが、他方の側壁面に成形されたボス６８ｂにはプラテン３に成形された軸受部６９が係合している。
【００９７】
そして、これら左右の係合部は同軸上にあり、これによりＣＳホルダ２６は図７に示す画像記録の際、キャリッジ４が走査方向に移動したとき、キャリッジ４に接触しない第１のポジション（待機位置）から、図１に示すキャリッジ４の移動空間内であってＣＳ２２の読取面と白基準部材２５との隙間で形成される原稿読取搬送路と、プラテン３により構成される記録紙支持面とが同一面となる第２のポジション（読取位置）に移動できるようになっている。
【００９８】
さらに、排出方向から見たときにインクカートリッジ１が、キャリッジ移動範囲内の一端（右端）のキャッピングポジション（図８参照）にある状態で、ＣＳホルダ２６が第２のポジションに移動できるようにＣＳホルダ２６の左右方向の位置が設計されている。
【００９９】
また、白基準部材２５の金属板の原稿搬送方向上流側はくし歯形状になっており、くし歯の歯と歯の間にプラテンのリブ３８が入るようになっており、また白基準部材２５の金属板の原稿搬送方向下流側には、長手方向の強度を強くするための曲げ部が形成されている。
【０１００】
そして、ＣＳホルダ２６が第２のポジションに移動する際、この曲げ部が既述したように回動可能に支持された補助プラテン部材３ａを押し下げることにより、ＣＳホルダ２６は第２のポジションに移動することができるようになっている。これにより、原稿読取時、搬送ローラ１０と排紙ローラ１７の間の、白基準部材２５とＣＳ２２により形成される読取搬送路とプラテン３により構成される記録紙支持面とが同一面となる。
【０１０１】
ここで、ＣＳホルダ２６が第２のポジションに移動したとき、図９に示すＣＳホルダ２６に設けられた突起４０１，４０２がプラテン３の上面に設けられた位置決め部４１１，４１２に係合するようになっており、これによりＣＳホルダ２６は第２のポジションに保持される。
【０１０２】
また、ＣＳホルダ２６の一端部（幅方向左側端部）には不図示の駆動切替手段及びＣＳ駆動伝達手段を介して駆動モータに連結されたＣＳ駆動手段が配置されており、このＣＳ駆動手段を介して駆動モータの駆動によりＣＳホルダ２６を第１のポジションあるいは第２のポジションへ移動させることができるようになっている。
【０１０３】
次に、このように構成された画像読取装置部１０２の画像読取動作について説明する。
【０１０４】
原稿トレイ１１に原稿１２がセットされた状態で読取動作が開始されると、まず不図示の制御手段により駆動切替手段を切り替えることによって駆動モータの駆動を読取駆動伝達手段を介して原稿分離ローラ１５及び原稿給送ローラ５１に伝達する。これにより、原稿分離ローラ１５及び原稿給送ローラ５１が、図２に示す矢印方向に回転し、このように回転する原稿給送ローラ５１と、原稿分離ローラ１５及び分離片１３により、原稿トレイ１１にセットされた原稿１２が１枚ずつ分離して送り出される。
【０１０５】
なお、この時、既述したように原稿分離ローラ１５の給送方向下流に配された記録紙分離ローラ１９の回転方向の位相は初期状態となっており、記録分離ローラ１９のローラ部１９ａの切り欠き部１９ｂと原稿下ガイド部材２３の間には原稿１枚を通紙するために十分な間隙Ｇが生じている（図２参照）。
【０１０６】
また、このように原稿分離ローラ１５を回転させると共にＣＳ駆動伝達手段を介してＣＳ駆動手段を作動させ、装置スタンバイ状態において不図示のねじりコイルバネ（弾性部材）によって反時計方向に付勢され、図７に示すように第１のポジション（待機位置）に保持されているＣＳホルダ２６を矢印方向に回動させる。
【０１０７】
なお、本実施の形態においては、読取駆動伝達手段とＣＳ駆動伝達手段のギア比及びローラ径を調節することで、原稿１２が搬送ローラ１０に到達する前にＣＳホルダが第２のポジションに移動するように設定されている。
【０１０８】
そして、このようにＣＳホルダ２６が第２のポジションに移動すると、ＣＳ駆動手段とＣＳ駆動伝達手段を連結しているクラッチが切れてＣＳホルダ２６は停止すると共に、不図示の第２のコイルバネ（弾性部材）によって、その位置で付勢される。また、同時にＣＳホルダ２６が補助プラテン部材３ａを押し下げることにより、搬送ローラ１０と排紙ローラ１７の間に、プラテン３により構成される記録紙支持面と同一面状の読取搬送路が形成される。
【０１０９】
次に、１枚ずつ分離して送り出された原稿１２は、下面を原稿下ガイド部材２３に支持されつつ、記録紙２と同様、プラテン３とピンチローラガイド３６、上ガイド４２にガイドされ、ＰＥセンサレバー２１を押し下げながら搬送ローラ１０とピンチローラ１６のニップに搬送される。
【０１１０】
ここで、このようにＰＥセンサレバー２１を押し下げると、ＰＥセンサ２１Ｓから検知信号が不図示の制御手段に入力され、制御手段は、この検知信号に基づいて原稿１２の先端を検知し、原稿１２上での読取位置を求めるようにしている。
【０１１１】
次に、搬送ローラ１０及びピンチローラ１６に搬送された原稿１２は、搬送ローラ１０と４つのピンチローラ１６とにより挟持され、ＣＳ２２と白基準部材２５とにより形成された読取搬送路を通過すると共に、この通過の際にＣＳ２２によって画像データを読み取られる。そして、原稿１２の最後端が読取られると、排紙ローラ１７により装置外に排出される。
【０１１２】
なお、このように原稿１２が排出されると、駆動モータ２０が逆転し、これによりＣＳ駆動手段とＣＳ駆動伝達手段がクラッチにより連結されると共に、既述したねじりコイルばねによってＣＳホルダ２６は第１のポジションに移動する。
【０１１３】
また、このＣＳホルダ２６の第１のポジションへの移動に伴い補助プラテン部材３ａがバネ５８の付勢力により上方に押し上げられ、これにより補助プラテン部材３ａの記録紙支持面とプラテン３の記録紙支持面とにより同一平面状の記録紙支持面が形成される。最後に、駆動切り替え手段によって、駆動モータの駆動を記録モードに切り替え、装置はスタンバイ状態になる。
【０１１４】
このように、共通搬送路４９に記録紙２を支持する支持部を構成する補助プラテン部材３ａを退避可能に設け、原稿画像を読み取る際にはＣＳホルダ２６（に保持されたＣＳ２２）を、補助プラテン部材３ａを共通搬送路４９から退避させながら、共通搬送路４９に原稿搬送路を形成し、かつ原稿画像の読み取りが可能な位置に移動させるようにすることにより、装置の小型化と記録及び読取り精度を維持しながら、画像読取部２８のインクによる汚れを防止することができる。
【０１１５】
また、既述したように分離された記録紙２及び原稿１２を共通の搬送ローラ１０及び排紙ローラ１７により搬送することにより、読取用駆動モータや原稿搬送用機構を別途設ける必要がなく、コストダウンが実現されるとともに装置全体の小型化を図ることができる。
【０１１６】
さらに、小型化、ランニングコストなどの面で有利なインクジェット記録方式を用いた構成の画像記録部１Ａを採用した場合でも、本実施の形態のように、画像記録動作時には、ＣＳ２２を共通搬送路４９から退避させるようにすることにより、記録動作時のインクミスト及びインク漏れによる汚れを防ぐことができると共に、レイアウト上の制限が少なくなり、設計時の自由度を増すことができる。
【０１１７】
またさらに、画像記録動作時には、ＣＳ２２を共通搬送路４９から退避させるようにすることにより、画像記録部１Ａにおいて記録紙ジャム等が生じても未定着インクがＣＳ２２の読取面もしくは白基準部材２５に付着するというトラブルの発生を防ぐことができる。また、ＣＳ２２の読取面を白基準部材２５により覆うようにすることにより、ＣＳ２２の読取面のインクミストによる汚れを大幅に軽減することができる。
【０１１８】
また、本実施の形態のように、原稿１２を給送する際には、記録紙分離ローラ１９を、切り欠き部１９ｂが原稿下ガイド部材２３に臨む、原稿上ガイド１４と原稿下ガイド部材２３との間に進入しない位置で停止させることにより、例えば原稿１２を給送中であっても記録紙２を適宜給送することが可能となる。
【０１１９】
また、原稿１２を給送する際、原稿下ガイド部材２３の上方に設けられた原稿上ガイド１４が原稿１２により押圧されて上方回動した場合でも、この原稿上ガイド１４を記録紙分離ローラ１９の軸部１９ｃに当接させて原稿搬送路Ｒ２に記録紙分離ローラ１９の切り欠き部１９ｂが突出することがないように位置決めすることにより、原稿１２を、記録紙分離ローラ１９に接触することなく、確実に、かつ安定して給送することができる。
【０１２０】
さらに、原稿上ガイド部材１４を配設できない記録紙分離ローラ１９の部分には原稿押さえ部材５５を設け、この原稿押さえ部材５５によって原稿上ガイド１４と原稿下ガイド部材２３との間を通過する原稿１２が記録紙分離ローラ１９に当接しないように押さえるようにすることにより、原稿１２を、確実に、かつ安定して給送することができる。
【０１２１】
なお、本実施の形態においては、原稿トレイ１１を記録紙トレイ８の上方に配し、これに伴い原稿分離ローラ１５を記録紙分離ローラ１９の上流に設けた場合について述べてきたが、本発明はこれに限らず、記録紙トレイ８を原稿トレイ１１の上方に配し、これに伴い記録紙分離ローラ１９を原稿分離ローラ１５の上流に設けるようにしても良い。この場合は、記録紙２を確実に、かつ安定して給送することができる。
【０１２２】
【発明の効果】
以上説明したように本発明のように、第１給送手段により原稿及びシートの一方を給送する際には、第２給送手段を下ガイド部材と上ガイド部材との間に進入しない位置で停止させ、かつ上ガイド部材が原稿及びシートの一方により押圧された際には、第２給送手段によって上ガイド部材を第２給送手段が下ガイド部材と上ガイド部材との間に進入しない位置に位置決めするようにすることにより、第２給送手段に原稿及びシートの一方が接触することがないようにすることができる。これにより、小型化及び低コスト化が可能となり、かつ原稿及びシートを確実に給送することができる。
【図面の簡単な説明】
【図１】本発明の実施の形態に係る画像読取記録装置の一例であるファクシミリ装置の構成を示す断面図。
【図２】上記ファクシミリ装置における記録紙及び原稿の給紙系の構成を説明する断面図。
【図３】上記ファクシミリ装置における記録紙給紙部の構成を示す斜視図。
【図４】上記ファクシミリ装置における記録紙給紙部の構成を示す断面図。
【図５】上記ファクシミリ装置における記録紙分離ローラおよび原稿上ガイドの構成を示す装置後方からの斜視図。
【図６】上記ファクシミリ装置の記録紙分離ローラと原稿下ガイド部材の構成を示す装置後方からの斜視図。
【図７】上記ファクシミリ装置の記録動作時の全体構成を示す断面図。
【図８】上記ファクシミリ装置におけるインクカートリッジの交換を説明する斜視図。
【図９】上記ファクシミリ装置における画像読取部を通過する原稿の搬送経路を示す図。
【図１０】上記ファクシミリ装置における記録動作時の画像記録部および画像読取部の配置構成を示す斜視図。
【図１１】上記ファクシミリ装置における原稿給紙部の構成を示す斜視図。
【図１２】上記ファクシミリ装置の記録紙分離ローラに設けられた原稿押さえ部材の構成を説明する断面図。
【図１３】上記原稿押さえ部材が記録紙分離ローラと干渉した時の状態を示す断面図。
【図１４】上記ファクシミリ装置における原稿読取時の読取部および記録部の配置構成を示す斜視図。
【図１５】従来のファクシミリ装置の概略構成を示す図。
【符号の説明】
１          インクカートリッジ
１Ａ        画像記録部
２          記録紙
８          記録紙トレイ
１０        搬送ローラ
１１        原稿トレイ
１２        原稿
１４        原稿上ガイド
１５        原稿分離ローラ
１９        記録紙分離ローラ
１９ｂ      切り欠き部
１９ｃ      軸部
１９ｄ      上部領域
２２        コンタクトイメージセンサ
２３        原稿下ガイド
２８        画像読取部
４９        共通搬送路
５０        原稿給紙部
５５        原稿押さえ部材
１００      ファクシミリ装置
【図１】
2004203512.tif 000003
【図２】
2004203512.tif 000004
【図３】
2004203512.tif 000005
【図４】
2004203512.tif 000006
【図５】
2004203512.tif 000007
【図６】
2004203512.tif 000008
【図７】
2004203512.tif 000009
【図８】
2004203512.tif 000010
【図９】
2004203512.tif 000011
【図１０】
2004203512.tif 000012
【図１１】
2004203512.tif 000013
【図１２】
2004203512.tif 000014
【図１３】
2004203512.tif 000015
【図１４】
2004203512.tif 000016
【図１５】
2004203512.tif 000017